(57)【要約】      （修正有）【課題】杖等の様々な長尺な部材に取り付けることによって、壁やテーブル等の支持部材に保持することができる杖保持具を提供する。【解決手段】杖保持具１は、軟質で弾性変形可能な平板状の部材で形成された本体部１０と、本体部の一端側に形成され、杖を差し込める貫通孔２１が形成され、杖に係合する杖係合部２０と、本体部の他端側に形成され、杖と杖を支持する支持部材との間における、杖と支持部材との滑りを防止する滑り止め手段３０とを備える。杖保持具１は、杖等の様々な長尺な部材に取り付けることによって、壁やテーブル等の支持部材に保持することができる。【選択図】図１
0003231194.tif 000002
【実用新案登録請求の範囲】
【請求項１】
軟質で弾性変形可能な平板状の部材で形成さた本体部（１０）と、
前記本体部の一端側に形成され、杖を差し込める貫通孔（２１）が形成され、前記杖に係合する杖係合部（２０）と、
前記本体部の他端側に形成され、前記杖と前記杖を支持する支持部材との間に配置され、前記杖と前記支持部材との滑りを防止する滑り止め手段（３０）と
を備えることを特徴とする杖保持具。
【請求項２】
請求項１に記載された杖保持具であって、
前記杖係合部は、前記貫通孔の周囲に形成され、前記本体部より肉厚に形成されている
ことを特徴とする杖保持具。
【請求項３】
請求項２に記載された杖保持具であって、
前記滑り止め手段は、前記本体部の表面側及び／又は背面側に形成された凹凸である
ことを特徴とする杖保持具。
【考案の詳細な説明】
【技術分野】
【０００１】
本考案は、杖保持具に関する。さらに詳しく説明すると、本考案は、杖等を様々な支持部材に保持する杖保持具に関する。
【背景技術】
【０００２】
近年、日本では、高齢化によるお年寄りの増加や、膝に支障のある者の増加によって、杖の需要が増えている。杖は、長尺な部材で形成されているため、倒れないように立て掛けておける置き場所が必要である。これは、高齢者や膝に支障のある者は、杖を倒してしまうと拾い上げることが困難だからである。しかし、このような杖を使用する使用者が、外出先において、杖を立て掛けておける置き場所を常に見つけられるとは限らない。このため、所定の置き場所でなくても、杖等に取り付けることで、杖等を立て掛けておける杖保持具が提案されている。様々な杖保持具が存在するが、特許文献を基に従来の技術を説明する。
【０００３】
例えば、弾力性のある樹脂を素材とし、円筒の外周面に複数の羽根状部材が具備された杖用転倒防止具の技術が知られている（例えば、特許文献１参照）。また、傘が床面上を滑って転倒するのをより確実に抑制する傘用キャップの技術が知られている（例えば、特許文献２参照）。
【０００４】
しかし、特許文献１や２に示された技術では、壁に杖等を壁等に立て掛けることはできるが、カウンターやテーブル等に引っかけられないという問題点がある。
【先行技術文献】
【特許文献】
【０００５】
【特許文献１】特開２０１９−２４９２８公報
【特許文献２】実用新案登録第３１０８５８１号公報
【考案の概要】
【考案が解決しようとする課題】
【０００６】
本考案は、このような社会的、技術的背景に基づいたものであり、次のような目的を達成する。本考案の目的は、杖等を様々な支持部材に保持する杖保持具を提供することにある。
【課題を解決するための手段】
【０００７】
本考案は、前記目的を達成するために次の手段をとる。
（１）請求項１の杖保持具は、軟質で弾性変形可能な平板状の部材で形成さた本体部（１０）と、前記本体部の一端側に形成され、杖を差し込める貫通孔（２１）が形成され、前記杖に係合する杖係合部（２０）と、前記本体部の他端側に形成され、前記杖と前記杖を支持する支持部材との間に配置され、前記杖と前記支持部材との滑りを防止する滑り止め手段（３０）とを備えることを特徴とする。
（２）請求項２の杖保持具は、請求項１に記載された杖保持具であって、前記杖係合部は、前記貫通孔の周囲に形成され、前記本体部より肉厚に形成されていることを備えることを特徴とする。
（３）請求項３の杖保持具は、請求項２に記載された杖保持具であって、前記滑り止め手段は、前記本体部の表面側及び／又は背面側に形成された凹凸であることを備えることを特徴とする。
【考案の効果】
【０００８】
以上説明したように、本考案の杖保持具は、杖等を様々な支持部材に保持できる。
【図面の簡単な説明】
【０００９】
【図１】図１は、第一実施形態の杖保持具１を示す外観図である。
【図２】図２は、杖保持具１を把持部Ｓ１の底面又は側面に使用している状態を示す第一外観図である。
【図３】図３は、杖保持具１を把持部Ｓ１の側面に使用している状態を示す第二外観図である。
【図４】図４は、杖保持具１を軸部Ｓ２の側面に使用している状態を示す第三外観図である。
【考案を実施するための形態】
【００１０】
（１）実施形態の概要
本実施形態の杖保持具１は、軟質で弾性変形可能な平板状の部材で形成された本体部（１０）と、前記本体部の一端側に形成され、杖を差し込める貫通孔（２１）が形成され、前記杖に係合する杖係合部（２０）と、前記本体部の他端側に形成され、前記杖と前記杖を支持する支持部材との間における、前記杖と前記支持部材との滑りを防止する滑り止め手段（３０）とを備える。
杖保持具１は、杖等の様々な長尺な部材に取り付けることによって、壁やテーブル等の支持部材に保持することができる。
【００１１】
（２）実施形態の詳細
〔第一実施形態〕
第一実施形態を図面に基づいて詳細に説明する。
図１は、第一実施形態の杖保持具１を示す図であり、（ａ）は平面図、（ｂ）は外観図、（ｃ）は正面図、（ｄ）は右側面図である。
【００１２】
〔杖保持具１〕
第一実施形態における杖保持具１は、杖Ｓに取り付けられ、壁、カウンター及びテーブル、その他の様々な支持部材に杖を保持することができる（図２〜４参照）。図１に示すように、杖保持具１は、本体部１０、杖係合部２０、滑り止め手段３０等の部材から構成されている。杖保持具１は、本体部１０、杖係合部２０及び滑り止め手段３０が、シリコーン等の軟質で弾性変形可能で、摩擦係数が大きく滑りにくい部材で一体に形成されている。本例において、杖保持具１は、所定の分量のミラブルシリコンを、金型の凹部に入れて圧縮成形機で加熱、加圧するコンプレッション成形によって形成されている。
【００１３】
〔本体部１０〕
本体部１０は、杖Ｓの一部と支持部材との間に配置される部材であり、軟質で弾性変形可能で、摩擦係数が大きく滑りにくい部材で形成されている。図１（ａ）に示すように、本体部１０は、一端１１側と比較して他端１２側の幅が広く形成され、本例においては、一端１１側が丸まり他端１２側が尖った略葉形状に形成されている。例えば、本体部１０は、長さ略１１０ｍｍ、幅略５０ｍｍ、肉厚略１．０ｍｍに形成されている。なお、本体部１０は、デザインや使用する杖Ｓに応じて、長さや幅を適宜変更しても良いし、使用する材料に応じて、肉厚を略０．５ｍｍ〜３．０ｍｍに調整すると良い。
【００１４】
本体部１０の外形は、一端１１側が円弧形状であり、一端１１側からその反対側の他端１２側の方向に向けて徐々に離隔した後に徐々に接近し、他端１２側で当接している。本体部１０は、伸び縮みすることで、杖Ｓの様々な部位に配置できるように、硬度が３０°に形成されている。本体部１０は、一端１１側に杖係合部２０が形成され、他端１２側に滑り止め手段３０が形成されている。
【００１５】
〔杖係合部２０〕
杖係合部２０は、杖Ｓに係合し、杖Ｓに杖保持具１を取り付ける部材である。図１（ａ）に示すように、杖係合部２０は、本体部１０の一端１１側の円弧形状部分と同心の環状形状に形成されている。杖係合部２０は、杖Ｓに係合できるように、杖Ｓを差し込める貫通孔２１が形成されている。貫通孔２１は、本体部１０を貫通する孔であり、本体部１０の一端１１側の円弧形状部分と同心に形成されている。貫通孔２１は、杖の直径に合わせた大きさに形成されており、本例においては、直径が１７ｍｍに形成されている。
【００１６】
杖係合部２０は、図１（ａ）に示すように、貫通孔２１の外周を縁取るように環状に形成されている。杖係合部２０は、図１（ｃ）（ｄ）に示すように、本体部１０より肉厚に形成され、本体部１０の表面側及び／又は裏面側から突出するように形成されている。本体部１０や杖係合部２０を弾性変形させることで、貫通孔２１の外周は拡がり、様々な形状や大きさの杖Ｓを差し込むことができる。本例において、杖保持具１は、杖係合部２０の肉厚を略３．０ｍｍに形成し、本体部１０と比較して厚くなるように形成されているため、繰り返し使用することによる破断を防ぐことができる。なお、杖係合部２０の肉厚は、本体部１０の肉厚に応じて、適宜変更すると良い。
【００１７】
〔滑り止め手段３０〕
滑り止め手段３０は、杖Ｓと杖Ｓを支持する支持部材との間における、杖Ｓと支持部材との滑りを防止する部材である。図１（ａ）に示すように、滑り止め手段３０は、本体部１０の他端１２側の表面及び／又は背面に形成されている。滑り止め手段３０は、略葉脈形状に形成されており、１本の主脈部３１と複数本の側脈部３２とから構成されている。主脈部３１は、図１（ａ）に示すように、本体部１０の他端１２側から一端１１側の杖係合部２０の手前に向かい、縦に延びるように形成されている。主脈部３１は、本体部１０の略中心に配置されている線状の突起である。
【００１８】
側脈部３２は、図１（ａ）に示すように、主脈部３１から所定の角度をつけて枝分かれして、本体部１０の外形に向かい、斜めに延びるように形成されている。側脈部３２は、本体部１０を中心に左右に５本ずつ配置されている線状の突起である。本体部１０に滑り止め手段３０が形成されているため、本体部１０は表面及び／又は裏面に凹凸が形成された状態になっている。本体部１０の表面及び／又は裏面は、凹凸が形成されているため、さらに摩擦係数が高くなり、杖Ｓと支持部材との間における滑り止めとなる。
【００１９】
〔杖保持具１の使用方法〕
次に、杖保持具１の使用方法について説明する。図２は、杖保持具１を把持部Ｓ１の底面又は側面に使用している状態を示す第一外観図である。図３は、杖保持具１を把持部Ｓ１の側面に使用している状態を示す第二外観図である。図４は、杖保持具１を軸部Ｓ２の側面に使用している状態を示す第三外観図である。なお、本例において、使用する杖Ｓは、使用者が杖Ｓを把持するプラスチック製の把持部Ｓ１と、長尺なアルミニウム製の軸部Ｓ２とから構成されている。
【００２０】
図２に示すように、杖保持具１は、杖Ｓを木製のテーブルＴの上に引っかけ又は立て掛け、保持する場合に使用することができる。杖保持具１は、杖係合部２０を把持部Ｓ１の先端から入れて、杖Ｓに取り付けられる。杖保持具１は、シリコーン等の軟質で弾性変形可能な部材で形成されているため、貫通孔２１の外周を拡げることができ、様々な形状や太さの杖Ｓに取り付けることができる。また、杖保持具１は、シリコーン等の摩擦係数が大きく滑りにくい部材で形成されているため、しっかりと杖Ｓに取り付けられる。
【００２１】
図２（ａ）に示すように、杖Ｓに取り付けた杖保持具１を、テーブルＴの表面と把持部Ｓ１の底面の間に配置する。杖保持具１は、本体部１０に滑り止め手段３０が形成され、摩擦係数が高いため、杖ＳとテーブルＴとの間における滑り止めとなる。つまり、杖Ｓを直接テーブルＴに置いた場合と比較して、杖ＳとテーブルＴとの間に杖保持具１を配置した場合の方が、杖ＳがテーブルＴから滑り落ちにくくなる。杖保持具１は、杖Ｓに取り付けておけば、アクセサリーにもなり、取り付けたままにしておけば、紛失することもない。
【００２２】
図２（ｂ）に示すように、杖Ｓに取り付けた杖保持具１を、テーブルＴの側面と把持部Ｓ１の側面の間に配置する。また、杖保持具１の本体部１０を折り曲げて、テーブルＴの表面とテーブルＴの側面に配置する。杖保持具１は、本体部１０に滑り止め手段３０が形成され、摩擦係数が高いため、杖ＳとテーブルＴとの間における滑り止めとなる。つまり、杖Ｓを直接テーブルＴに立て掛けた場合と比較して、杖ＳとテーブルＴとの間に杖保持具１を配置した場合の方が、杖ＳがテーブルＴから倒れてしまいにくくなる。
【００２３】
図３に示すように、杖保持具１は、杖Ｓを把持部Ｓ１より高い位置にある壁Ｗ１に立て掛けて、保持する場合に使用することができる。図３（ａ）に示すように、杖Ｓに杖保持具１取り付けて、本体部１０を把持部Ｓ１の側面に配置する。次に、図３（ｂ）に示すように、杖Ｓに取り付けた杖保持具１を、壁Ｗ１の壁面と把持部Ｓ１の側面の間に配置する。杖保持具１は、本体部１０に滑り止め手段３０が形成され、摩擦係数が高いため、杖Ｓと壁Ｗ１との間における滑り止めとなる。つまり、杖Ｓを直接壁Ｗ１に立て掛けた場合と比較して、杖Ｓと壁Ｗ１との間に杖保持具１を配置した場合の方が、杖Ｓが壁Ｗ１から倒れてしまいにくくなる。
【００２４】
図４に示すように、杖保持具１は、杖Ｓを把持部Ｓ１より低い位置にある壁Ｗ２に立て掛けて、保持する場合に使用することができる。図４（ａ）に示すように、杖Ｓに杖保持具１取り付けて、本体部１０を軸部Ｓ２の側面に配置する。次に、図４（ｂ）に示すように、杖Ｓに取り付けた杖保持具１を、壁Ｗ２の壁面と軸部Ｓ２の側面の間に配置する。杖保持具１は、本体部１０に滑り止め手段３０が形成され、摩擦係数が高いため、杖Ｓと壁Ｗ２との間における滑り止めとなる。つまり、杖Ｓを直接壁Ｗ２に立て掛けた場合と比較して、杖Ｓと壁Ｗ２との間に杖保持具１を配置した場合の方が、杖Ｓが壁Ｗ２から倒れてしまいにくくなる。
【００２５】
このように、杖保持具１は、本体部１０や滑り止め手段３０を配置する場所に応じて、杖ＳをテーブルＴ、壁Ｗ１及び壁Ｗ２等の様々な支持部材に保持するすることができる。杖保持具１は、本体部１０を弾性変形させることで、杖Ｓの形状や大きさに関わらず様々な杖Ｓに取り付けることができる。杖保持具１は、本体部１０を弾性変形させることで、杖Ｓの様々な部位に本体部１０を配置することができる。このため、例えば、高齢者施設において、様々な場所に杖Ｓを保持する道具を用意する必要がなくなり、また、様々な場所において杖Ｓを保持しておくことができる。
【００２６】
以上、本考案の実施の形態の説明を行ったが、本考案は、この実施の形態に限定されることはなく、本考案の目的、趣旨を逸脱しない範囲内で変更ができる。本例において、杖保持具１は、軟質で弾性変形可能な摩擦係数の大きい部材であれば、他の部材でも良く、例えばウレタン、エラストマー及びゴムその他の合成樹脂でもよい。杖保持具は、杖Ｓに限らず、傘等その他の長尺の部材に使用しても良い。また、本体部１０は、略葉形状に形成されているが、デザインに応じて、他の形状でも良く、杖Ｓの形状に応じて、その大きさ等を変更しても良い。
【００２７】
本例において、滑り止め手段３０は、本体部１０と一体に形成された略葉脈形状に形成された突起であるが、他の形状であっても良い。また、滑り止め手段３０は、本体部１０の表面及び／又は裏面に施した表面処理であっても良い。例えば、滑り止め手段３０は、本体部１０にシワ模様（皺）をつけたシボ加工でも良いし、本体部１０に細かい凹凸を形成したエンボス加工でも良い。
【符号の説明】
【００２８】
１              ：杖保持具
１０            ：本体部
２０            ：杖係合部
３０            ：滑り止め手段
【図１】
0003231194.tif 000003
【図２】
0003231194.tif 000004
【図３】
0003231194.tif 000005
【図４】
0003231194.tif 000006